(57)【要約】  【課題】撮像装置の操作リングの摺動面に設定された同一円形状の摺動リブでは、そのリブの通るところのみグリースがかき分けられ、いわゆるグリースのワダチが出来てしまい、リブの通り道にグリースが行き渡らなくなり、部品同士の擦れが発生するためリングの滑らかな回転を阻害すると言う課題があった。  【解決手段】撮像装置１の撮像レンズ２の光軸上に回転中心をもち、かつ、撮像レンズ２の外側に回転自在に構成された操作リング８であり、この操作リング８にはベース部材２０，２１との間で、操作リング８の光軸方向の位置を規制し、かつ、操作リング８の摺動面を兼ねる摺動部分があるとき、この摺動部分に、ある一定の円弧長をもち、かつ、操作リングの回転軸と同心円であり、かつ、それぞれ異なる半径を持ち、かつ、それぞれの間には一定間隔のギャップを設けるように構成された摺動リブを持つことを特徴とする操作リングを備えた撮像装置。【選択図】図７
2015138065.tif 000002
【特許請求の範囲】
【請求項１】
撮像装置１の撮像レンズ２の光軸上に回転中心をもち、かつ、撮像レンズ２の外側に回転自在に構成された操作リング８であり、
この操作リング８にはベース部材２０，２１との間で、操作リング８の光軸方向の位置を規制し、かつ、操作リング８の摺動面を兼ねる摺動部分があるとき、
この摺動部分に、ある一定の円弧長をもち、かつ、操作リングの回転軸と同心円であり、かつ、それぞれ異なる半径を持ち、かつ、それぞれの間には一定間隔のギャップを設けるように構成された摺動リブを持つことを特徴とする操作リングを備えた撮像装置。
【発明の詳細な説明】
【技術分野】
【０００１】
本発明は、撮像装置の操作用回転リングの構造に関するものである。
【背景技術】
【０００２】
ビデオカメラには、さまざまな操作スイッチ類が搭載されている。電源を入り切りするための電源スイッチや、撮影画像の画角を調整するためのズームレバー、記録の開始停止を指示するトリガースイッチなどである。
【０００３】
このような操作スイッチ類の一種であって、特にリング形状の部材を回転させることで操作するマニュアル操作リングと言う操作部材がある。このマニュアル操作リングは、円形の輪の形状であり、主に撮像レンズの周囲に配置されて、その光軸上に回転中心を持つ機構が採用されている。
【０００４】
このようなマニュアル操作リングの一般的な構造を説明する。回転部材である操作リングは、その回転運動を規制するため撮像装置に一体的に固定されたベース部材に組み込まれている。操作リングはその形状の一部が、上記のベース部材と接触しながら回転動作をする。
【０００５】
特に、操作リングの回転方向の運動の規制は、操作リングの円筒形状の一部と、ベース部材の円筒形状の一部を接触させて行い、光軸方向の運動の規制は、操作リングの前後に設定されたベース部材との間の光軸に直行する面との接触で行われる。
【０００６】
ところで撮像装置の操作リングは、滑らかな回転と操作時のトルク感が要求される操作部である。このような要求に対処するため、従来は以下のような構造が採用されていた。
【０００７】
（１）滑らかな回転のために、操作リングとベース部材との接触面積を減らす。
【０００８】
（２）トルク感を得るために、接触面にグリースを塗布する。
【０００９】
上記（１）の接触面の接触面積を低減させるための構造として、回転方向の運動を規制する接触面では、操作リング、ベース部材それぞれを逃がし方向に半径寸法を設定し、多少のガタを持たせることで実現していた。また、光軸方向を規制する接触面では、接触面に断面形状が略半円形で、かつ、一つの輪のような形状の摺動リブを全周にわたり配置したり、特許文献１のような不特定多数のディンプル状の凹部を設けたりして実現していた。
【００１０】
上記（２）のようなリング操作時のトルク感を得るために、それぞれの接触面全域にわたりグリースの塗布を実施していた。
【先行技術文献】
【特許文献】
【００１１】
【特許文献１】特開２０１１−２１５９７号公報
【発明の概要】
【発明が解決しようとする課題】
【００１２】
しかしながら、上記の従来構造では次のような問題点があった。
【００１３】
１．撮像装置の操作リングの摺動面に設定された一つの輪のような形状の摺動リブでは、そのリブの通るところのみグリースがかき分けられ、いわゆるグリースのワダチが出来てしまい、リブの通り道にグリースが行き渡らなくなるので、摺動面で部品同士の擦れが発生し、滑らかな回転を阻害していた。
【００１４】
２．特許文献１にあるような摺動面に不特定多数のディンプル状の凹部を設ける構造であると、摺動面へのグリースの拡散状態が不明確となり、場所によりグリースの量が安定しないため、グリースのない摺動面で部品同士の擦れが発生し、滑らかな回転を阻害していた。
【課題を解決するための手段】
【００１５】
上記課題を解決するための手段として
摺動面に設定される摺動リブであり、ある一定の円弧長をもつ複数の摺動リブで、それぞれは操作リングの回転軸と同心円であり、かつ、それぞれ異なる複数の半径を持ち、かつ、それぞれの円弧の間には一定間隔のギャップを持つことを特徴とする操作リングを備えた撮像装置
の提供を行う。
【発明の効果】
【００１６】
以上説明したように、本発明によれば以下のような効果がある。
【００１７】
操作リングとベース部材との摺動面に塗布されたグリースが常に摺動リブと摺動面の間に補給されるため、部品同士の擦れを防止し滑らかな回転を実現することができる。
【図面の簡単な説明】
【００１８】
【図１】実施例の撮像装置の斜視図
【図２】実施例の撮像装置のシステムブロック図
【図３】実施例のリング操作部の展開図
【図４】実施例のリング操作部の断面図
【図５】図４の部分拡大図
【図６】実施例の摺動リブ説明図
【図７】図６の部分拡大図
【図８】（ａ）実施例の摺動リブの形状説明図，（ｂ）異なる形状の摺動リブの説明図，(ｃ)異なる形状の摺動リブの説明図
【図９】円弧形状の摺動面と摺動リブを、簡単のため直線であらわした図
【図１０】本発明の実施例２の説明図
【図１１】本発明の実施例３の説明図
【発明を実施するための形態】
【００１９】
［実施例１］
以下、本発明による実施例１を図１〜図９を用いて説明する。
【００２０】
＜撮像装置の構成要素の説明＞
図１で撮像装置の構成要素について簡単に説明する。
【００２１】
図１は撮像装置の斜視図であり、１は撮像装置、２は撮像レンズ、３は撮影画像や記録映像を表示するビューファインダー、４は撮像装置の電源スイッチ、５は撮影画像の画角を調整するためのズームレバー、６は記録の開始停止を指示するトリガースイッチ、７は被写体や周囲の音声を入力するための内蔵マイクロフォン、８，９，１０は操作リングであり、撮像レンズ２の周囲に配置され、その光軸１２に回転中心を持ち、矢印１１のように回転可能に構成された操作スイッチである。
【００２２】
ここでこれら３本の操作リングについて説明する。リング８は被写体の焦点を合わせるためのフォーカス調整リング、リング９は撮影画像の画角を調整するためのズームリング、リング１０は被写体の明るさを調整するための絞りリングである。
【００２３】
さらに１３は、撮像レンズ２に不要な外光が入り込まないように不要光を遮蔽するフードである。
【００２４】
＜ブロック図の説明＞
図２は、撮像装置１を使用して撮影を行う際の撮像装置内部のシステムをブロック図で説明した図である。この図を用いて、カメラマンが撮像装置１を操作したときの撮像装置１内部の信号の流れを説明する。
【００２５】
図２より、まずカメラマンは電源スイッチ４を操作して撮像装置１の電源を入れる。撮像装置１の電源が入ると、撮像レンズ２を通して結像した撮影画像は撮像部１００で結像されアナログの映像信号として出力される。このとき撮像部１００は、ＣＣＤやＣＭＯＳなどの撮像素子のことである。
【００２６】
次に、撮像部１００で出力された映像信号は、アナログデータをデジタルデータに変換するＡ／Ｄコンバーター１０１に送られる。Ａ／Ｄコンバーター１０１からの信号は、信号処理部１０２に送信される。信号処理部１０２では、システム制御部１０４からの指示に従って映像信号の処理が行われ、その結果が反映された映像信号は、ビューファインダー３に贈られる。
【００２７】
次にカメラマンは、ビューファインダー３で撮影画像を確認し、使用状況に合わせてズームレバー５、またはズームリング９を操作して撮影画像の画角を決定する。続いてカメラマンは、不図示の被写体の焦点を合わせるためにリング８を操作し、同時に被写体の明るさを調整するために絞りリング１０を操作する。このとき、これら３つのリングの操作信号はシステム制御部１０４に入り、システム制御部１０４は、撮像レンズ２に内蔵された不図示の焦点レンズ、ズームレンズ、絞り調整機構を動作させるよう指示を出す。
【００２８】
こうして被写体の画角、焦点、明るさが決まったら、カメラマンはトリガースイッチ６を操作して撮影画像の記録を開始する。このとき、トリガースイッチ６を操作するとその操作信号がシステム制御部１０４に入力され、映像信号は信号処理部１０２から記録媒体１０３に送られる。と同時に、内蔵マイクロフォン７から取り込まれた音声信号も記録媒体１０３に送られ、映像信号の記録と同時に音声も記録される。
【００２９】
＜リング構造の説明＞
続いて図３を用いて、操作リング部の構造について説明する。
【００３０】
図３は、操作リング部を光軸方向に部品単位で展開した図である。ここで、２０、２１、２２は各操作リングの回転運動を規制し、かつ、撮像装置１に一体的に固定するためのベース部材である。図３のように、ベース２０は撮像装置１の最前方に位置し、そこからフォーカスリング８、ベース２１、ズームリング９、ベース２２、絞りリング１０の順番に組み込まれたのち、撮像装置１と一体的に固定される。
【００３１】
図４は、光軸１２を通り、縦方向に平行な平面で操作リング部をカットした断面図である。
【００３２】
さらに、各操作リングとベース部との構成をより詳しく説明するために、図４の３０の部分を拡大して図５で説明する。
【００３３】
図５より、フォーカスリング８の回転運動を規制するのは、ベース２０との接触面である３０の部分である。また、フォーカスリング８の光軸方向の動きを規制するのは、ベース２０とベース２１で挟まれた摺動面３１，３２の部分である。３０，３１，３２のそれぞれ摺動面にグリースが塗布されており、摺動面３０のグリースはフォーカスリング８の回転時のトルク発生源であり、３１，３２の摺動面は、フォーカスリング８のガタや、部品同士の擦れを防止し、リングを滑らかに回転させるための部分である。
【００３４】
この摺動面３１，３２の部分には、図のような断面形状が半円形の摺動リブ４０、５０がフォーカスリング８に形成されている。摺動リブ４０，５０は摺動面３１，３２と隙間なく当接している。そして半円形の摺動リブ４０，５０の円弧上の一点と、平面である摺動面３１，３２とが当接することで、両者の間の摩擦抵抗が小さくなり、フォーカスリング８が滑らかに回転できる。
【００３５】
＜接触面の説明＞
このような摺動リブの形状をフォーカスリング８を光軸方向から見た図６，７を用いて、説明する。
【００３６】
図６は、図５のベース２１を取り除き、光軸方向にフォーカスリング８を見たときの図であり、図７はその４分割円を拡大して表示した図である。
【００３７】
図６より、摺動リブが全周にわたって構築されていて、それぞれの摺動リブは一定の円弧長で複数個配列されている。図７を用いてその形状についてより詳しく見ていくと、円弧状の摺動リブ５０，５１，５２はそれぞれＲ１、Ｒ２、Ｒ３と言う異なる半径を持っていて、Ｒ１＞Ｒ２＞Ｒ３の関係で配置されている。さらに摺動リブ５０，５１，５２、５３の間にはそれぞれ円周方向にＤ１，Ｄ２，Ｄ３のような一定間隔のギャップが設定されている。
【００３８】
このような構成は、摺動リブ５０の反対側にある摺動リブ４０の面でも同様に配置されている。
【００３９】
このように、異なる半径を持つ複数の摺動リブが摺動面を摺動するときのグリースの状態を図８、９を用いて説明する。
【００４０】
図９は、円弧形状の摺動面と摺動リブを、簡単のため直線であらわした図である。ここで長丸は摺動リブであり、それぞれから出ている矢印は、操作リングの回転によってかき分けられるグリースのかき分けられる方向を示している。また、操作リングの回転方向は、図の左右方向である。
【００４１】
図８に、図９のような摺動リブを構築した場合のグリースのかき分けられ方を説明する。図８ａより、まず摺動リブ５０が摺動面３２に塗布されたグリースを６０，６１のようにかき分ける。
【００４２】
次に図８ｂより、摺動リブ５１が、摺動リブ５０のかき分けたグリース６１の上を通り、グリースを６１，６２にかき分ける。ここで、摺動リブ５０と摺動リブ５１の間にギャップＤ１を設けているのは、それぞれの摺動リブが並列に並ぶ個所があると、その摺動リブの間にあるグリースが行き場を失い、結果、摺動リブが通る道にグリースが塗布されないという事態が発生するのを防ぐためである。続いて図８ｃより、摺動リブ５２が、摺動リブ５１のかき分けたグリース６２の上を通り、グリースを６２，６３にかき分ける。
【００４３】
以上説明したように、円周上に配置されたある一定の円弧長を持つ複数の摺動リブを部品同士の摺動面に配置することで、摺動面と摺動リブとの間にグリースが補給されることになり、部品同士の擦れを防止し滑らかな回転を実現することができる。
【００４４】
［実施例２］
以下、本発明による実施例２を図１０を用いて説明する。
【００４５】
実施例２では、摺動リブが実施例１同様、リング操作部の全周に配置されることは同じであるが、摺動リブの配置が異なっている。
【００４６】
図１０より、摺動リブ７０，７１，７２，７３，７４，７５のそれぞれの半径はＲ１０、Ｒ１１、Ｒ１２，Ｒ１１，Ｒ１０，Ｒ１１となっている。また、それぞれのリブの間には、Ｄ１１，Ｄ１２，Ｄ１３，Ｄ１４，Ｄ１５と言うギャップが設定されている。
【００４７】
図１０の摺動リブの特徴は、隣り合う摺動リブとの間の半径に大きな差がないという点である。例えば実施例１の並び方だと、ギャップＤ３のところで摺動リブの半径がＲ３からＲ１に大きく変化している。このため、摺動リブ５２がかき分けたグリースはその次の摺動リブ５３にかかるのではなく、摺動リブ５４にかかることになる。よって、実施例２の摺動リブでは、一歩先を行くリブがかき分けたグリースを常に次のリブがかき分けていくことができる。
【００４８】
以上説明したように、円周上に配置されたある一定の円弧長を持つ複数の摺動リブを部品同士の摺動面に配置することで、摺動面と摺動リブとの間にグリースが補給されることになり、部品同士の擦れを防止し滑らかな回転を実現することができる。
【００４９】
［実施例３］
以下、本発明による実施例３を図１１を用いて説明する。
【００５０】
実施例３では、摺動リブが実施例１同様、リング操作部の全周に配置されることは同じであるが、摺動リブの形状が異なっている。
【００５１】
図１１より、摺動リブ８０の操作方向の両端に９０のような斜面を設定する。こうすることで、ギャップＤ２０でかき分けられたグリースが確実に次の摺動リブの前に流れていくことができる。
【００５２】
以上のように、摺動リブの操作方向の両端に設定された斜面により、隣り合う摺動リブの前にグリースを流すことができるので、摺動リブは常にグリースの上を通ることができ、摺動面と摺動リブとの間にグリースが補給されることになる。
【００５３】
以上説明したように、円周上に配置されたある一定の円弧長を持つ複数の摺動リブを部品同士の摺動面に配置することで、摺動面と摺動リブとの間にグリースが補給されることになり、部品同士の擦れを防止し滑らかな回転を実現することができる。
【符号の説明】
【００５４】
１‥‥撮像装置
２‥‥撮像レンズ
３・・・・ビューファインダー
８，９，１０‥‥操作リング
２０，２１，２２‥‥ベース部材
３２‥‥摺動面
５０，５１，５２‥‥摺動リブ
【図１】
2015138065.tif 000003
【図２】
2015138065.tif 000004
【図３】
2015138065.tif 000005
【図４】
2015138065.tif 000006
【図５】
2015138065.tif 000007
【図６】
2015138065.tif 000008
【図７】
2015138065.tif 000009
【図８】
2015138065.tif 000010
【図９】
2015138065.tif 000011
【図１０】
2015138065.tif 000012
【図１１】
2015138065.tif 000013